(57)【要約】【課題】遊技盤の遊技機枠への取付と、遊技盤の電気部品と遊技機枠の電気部品との接続との両立を図る。【解決手段】枠側取付構造体１が可動枠６の盤収納室７の内部からの可動枠６の前側に横方向に回転され、盤側取付構造体２の上滑走係合部１４が枠側取付構造体１の上滑走係合部１６に嵌め込まれ、盤側取付構造体２の下滑走係合部１５が枠側取付構造体１の下滑走係合部１７に嵌め込まれた後、遊技盤８の左側部が枠側取付構造体１の方向に直線的に押し込まれるのに伴い、可動枠６の電気部品に接続された枠側電気接続構造体１０と遊技盤８の電気部品に接続された盤側電気接続構造体１８とが互いに適切に接続される。【選択図】図１
2006247230.tif 000002
【特許請求の範囲】
【請求項１】
枠側電気接続構造体が枠側取付構造体の枠側コネクタ取付部と平行な縦横方向に移動可能に取り付けられるか、または、盤側電気接続構造体が盤側取付構造体の盤側コネクタ取付部と平行な縦横方向に移動可能に取り付けられ、枠側取付構造体が可動枠の左側部に回転可能に取り付けられ、盤側取付構造体が遊技盤の左側部に固定的に設けられ、枠側取付構造体が可動枠の盤収納室の内部からの可動枠の前側に横方向に回転された状態において、遊技盤が取り付けられる場合、盤側取付構造体の上部に位置する上滑走係合部が枠側取付構造体の上部に位置する上滑走係合部に嵌め込まれ、盤側取付構造体の下部に位置する下滑走係合部が枠側取付構造体の下部に位置する下滑走係合部に嵌め込まれた後、遊技盤の左側部が枠側取付構造体の方向に直線的に押し込まれることによって、盤側取付構造体が枠側取付構造体に嵌め合わせて取り付けられたことを特徴とするパチンコ機の遊技盤取付装置。
【請求項２】
枠側電気接続構造体が役割分担した枠側内部コネクタおよび枠側外部コネクタを備えるか、または、盤側電気接続構造体が役割分担した盤側内部コネクタおよび盤側外部コネクタを備えたことを特徴とする請求項１記載のパチンコ機の遊技盤取付装置。
【請求項３】
枠側電気接続構造体が枠側位置決め部を備え、盤側電気接続構造体が枠側位置決め部に嵌め込まれる盤側位置決め部を備えたことを特徴とする請求項１記載のパチンコ機の遊技盤取付装置。
【発明の詳細な説明】
【技術分野】
【０００１】
本発明は、電気部品の搭載された遊技盤を電気部品の搭載された遊技機枠に取り付けることによって、遊技盤の電気部品と遊技機枠の電気部品との接続も行える、パチンコ機の遊技盤取付装置に関する。
【背景技術】
【０００２】
パチンコ機には、遊技機枠を前側から見た場合、遊技機枠の左側部に上下一対の枠側取付構造体を前後方向に回転可能に設け、枠側取付構造体を遊技機枠から前側に回転させた状態において、電気部品の搭載された遊技盤を遊技盤の左側部を電気部品の搭載された遊技機枠の前側から枠側取付構造体に挿入し、遊技盤の右側部を人が前側から後側に押すことによって、遊技盤を遊技機枠に取り付けるものが知られている（特許文献１参照）。また、遊技機枠の裏側に溝状の枠側取付構造体とコネクタとを設け、コネクタおよび電気部品の搭載された遊技盤を遊技機枠の一側方から枠側取付構造体に嵌め込むことによって、遊技盤のコネクタと遊技機枠のコネクタとを互いに接続するものも知られている（特許文献２参照）。そこで、前者の回転可能な枠側取付構造体に後者のコネクタを設けることによって、電気部品の搭載された遊技盤を電気部品の搭載された遊技機枠に取り付けるのに伴い、遊技盤のコネクタと遊技機枠のコネクタとを嵌め合わせることによって、遊技盤の電気部品と遊技機枠の電気部品との接続を行うことが考えられる。しかしながら、遊技盤のコネクタおよび遊技機枠のコネクタには、コネクタピンと呼ばれる電気接続端子の本数の多いコネクタが用いられることから、遊技盤を遊技機枠に取り付けるのに伴い、本数の多い電気接続端子どうしを適切に嵌め合わせるために、遊技盤と枠側取付構造体とをがたつくことがないように組み合わせる構造が必要であり、遊技盤と枠側取付構造体とをがたつくことがないように組み合わせるようにした場合、遊技盤の枠側取付構造体への取付作業が面倒となり、にわかに採用しがたいものである。
【特許文献１】特開平８−１９６４７号公報
【特許文献２】特開平８−１７３６１５号公報
【発明の開示】
【発明が解決しようとする課題】
【０００３】
発明が解決しようとする問題点は、電気部品の搭載された遊技盤を電気部品の搭載された遊技機枠に取り付けるのに伴い、遊技盤の電気部品と遊技機枠の電気部品との接続も行える構造が、にわかに採用しがたいという点である。
【課題を解決するための手段】
【０００４】
本発明に係るパチンコ機の遊技盤取付装置は、枠側電気接続構造体が枠側取付構造体の枠側コネクタ取付部と平行な縦横方向に移動可能に取り付けられるか、または、盤側電気接続構造体が盤側取付構造体の盤側コネクタ取付部と平行な縦横方向に移動可能に取り付けられ、枠側取付構造体が可動枠の左側部に回転可能に取り付けられ、盤側取付構造体が遊技盤の左側部に固定的に設けられ、枠側取付構造体が可動枠の盤収納室の内部からの可動枠の前側に横方向に回転された状態において、遊技盤が取り付けられる場合、盤側取付構造体の上部に位置する上滑走係合部が枠側取付構造体の上部に位置する上滑走係合部に嵌め込まれ、盤側取付構造体の下部に位置する下滑走係合部が枠側取付構造体の下部に位置する下滑走係合部に嵌め込まれた後、遊技盤の左側部が枠側取付構造体の方向に直線的に押し込まれることによって、盤側取付構造体が枠側取付構造体に嵌め合わせて取り付けられたことを最も主要な特徴とする。本発明に係るパチンコ機の遊技盤取付装置において、枠側電気接続構造体が役割分担した枠側内部コネクタおよび枠側外部コネクタを備えたり、盤側電気接続構造体が役割分担した盤側内部コネクタおよび盤側外部コネクタを備えたり、枠側電気接続構造体が枠側位置決め部を備えるとともに盤側電気接続構造体が盤側位置決め部を備えたりしてもよい。
【発明の効果】
【０００５】
本発明に係るパチンコ機の遊技盤取付装置は、盤側取付構造体が枠側取付構造体に嵌め合わせて取り付けられるのに伴い、可動枠の電気部品に接続された枠側電気接続構造体と遊技盤の電気部品に接続された盤側電気接続構造体とが互いに適切に接続されるので、遊技盤の電気部品と可動枠の電気部品との相互接続が行えるという利点がある。枠側電気接続構造体が役割分担した枠側内部コネクタおよび枠側外部コネクタを備えるか、または、盤側電気接続構造体が役割分担した盤側内部コネクタおよび盤側外部コネクタを備えれば、可動枠の電気部品と枠側電気接続構造体との配線が整頓できたり、遊技盤の電気部品と盤側電気接続構造体との配線が整頓できたりするという利点がある。枠側電気接続構造体が枠側位置決め部を備えるとともに盤側電気接続構造体が盤側位置決め部を備えれば、枠側外部コネクタの電気接続端子と盤側外部コネクタの電気接続端子とが適切に接続されるという利点がある。
【発明を実施するための最良の形態】
【０００６】
図１乃至図１２は、発明を実施するための最良の形態である。図１は、遊技機枠５と遊技盤８とを分解して示す。図２のａ図は枠側取付構造体１を前側から示す。図２のｂ図は枠側取付構造体１を裏側から示す。図３は、枠側電気接続構造体１０を枠側取付構造体１に取り付ける構造を示す。図４は、枠側電気接続構造体１０が枠側取付構造体１に取り付けられた構造を示す。図５のａ図は、上ヒンジ３を可動枠６に回転可能に取り付ける構造を示す。図５のｂ図は、上ヒンジ３が可動枠６に回転可能に取り付けられた構造を示す。図６のａ図は、下ヒンジ４を可動枠６に回転可能に取り付ける構造を示す。図６のｂ図は、下ヒンジ４が可動枠６に回転可能に取り付けられた構造を示す。図７のａ図は、枠側取付構造体１が可動枠６の前側に開放された構造を示す。図７のｂ図は、図７のａ図をＢ−Ｂ線に沿い切断した断面を示す。図８のａ図は盤側取付構造体２を前側から示す。図８のｂ図は盤側取付構造体２を裏側から示す。図９は、盤側取付構造体２が取り付けられた遊技盤８を裏側から示す。図１０は、盤側電気接続構造体１８を盤側取付構造体２に取り付ける構造を示す。図１１のａ図およびｂ図は、嵌合確認機構７８；１８０の作用を示す。図１２は、遊技盤取付装置によって遊技盤８が盤収納室７に取り付けられ、前扉９が閉じられた、平面的な断面を示す。この明細書において、「前」、「後」、「裏」、「左」、「右」、「上」、「下」の方向は、図１の状態に遊技機枠５および遊技盤８を置いて矢印Ａで示す前側から見た場合に特定される方向である。「後」と「裏」とは同じ方向である。
【０００７】
図１を参照し、パチンコ機の遊技盤取付装置における構造について説明する。遊技盤取付装置は、図２で詳述する枠側取付構造体１と図９で詳述する盤側取付構造体２とを備える。枠側取付構造体１は、上ヒンジ３および下ヒンジ４を中心として、遊技機枠５における可動枠６の前側で前側に開かれかつ後側に閉じられるように、可動枠６における盤収納室７の左側部に前後方向に回転可能に取り付けられる。盤側取付構造体２は、遊技盤８の左側部に固定的に取り付けられる。
【０００８】
そして、遊技機枠５の前扉９が前側に開けられ、枠側取付構造体１が人によって可動枠６の前側に回転され、枠側取付構造体１の枠側電気接続構造体１０が可動枠６の前面に対し斜め前側に向き、可動枠６の開度保持部１１と枠側取付構造体１の開度保持部１２とが互いに係合し、枠側取付構造体１の前側に回転された位置が保持される。このように開度保持部１１と開度保持部１２とが互いに係合した状態において、枠側取付構造体１に前側に回転するような外力が加わった場合、枠側取付構造体１が盤収納室７の左側部に設けられた開度規制部１２０に衝突し、上記開度保持部１１と開度保持部１２との係合が保たれ、枠側取付構造体１がそれ以上前側に回転しない。よって、開度保持部１１および開度保持部１２は、互いに係合することによって、枠側取付構造体１を前側に回転されて最大に開いた角度の位置に保持するものであり、開度規制部１２０は、前側に回転される枠側取付構造体１を受け止めることによって、枠側取付構造体１を前側にそれ以上回転しないように、枠側取付構造体１の開き角度を規制するものである。
【０００９】
次に、人が遊技盤８を手で持ち、遊技盤８の前面が前側に向けられ、遊技盤８の裏面１３が可動枠６の前面に対し斜めに向けられ、遊技盤８の左側部が可動枠６に前側から近づけられ、盤側取付構造体２の上滑走係合部１４および下滑走係合部１５が枠側取付構造体１の上滑走係合部１６および下滑走係合部１７に前側から個別に嵌め込まれる。この場合、開度保持部１１と開度保持部１２とが互いに係合していることによって、枠側取付構造体１が前後方向に回転しがたい状態となっているので、遊技盤８を枠側取付構造体１に挿入する場合、枠側取付構造体１が後側に逃げにくくなり、遊技盤８を枠側取付構造体１に挿入する作業性がよい。その後、遊技盤８の左側部が枠側電気接続構造体１０の方向に近くなるように、遊技盤８が人によって押し動かされると、上滑走係合部１４が上滑走係合部１６を滑走し、下滑走係合部１５が下滑走係合部１７を滑走し、盤側取付構造体２の盤側電気接続構造体１８が枠側電気接続構造体１０に接触する。枠側電気接続構造体１０と盤側電気接続構造体１８とが互いに接触するのに伴い、枠側電気接続構造体１０が枠側取付構造体１に対し矢印Ｘ１で示す横方向と矢印Ｙ１で示す縦方向とに移動し、枠側電気接続構造体１０と盤側電気接続構造体１８との位置が互いに整合し、枠側電気接続構造体１０の電気接続端子と盤側電気接続構造体１８の電気接続端子とが互いに接続される。これによって、遊技盤８の下縁部が可動枠６の盤棚１９と平行な態様になり、遊技盤８の枠側取付構造体１に取り込まれた左側部が可動枠６の盤収納室７に配置される。
【００１０】
引き続き、遊技盤８の右側部が人によって前側から可動枠６の方向に押されると、枠側取付構造体１が可動枠６の方向に回転し、開度保持部１１と開度保持部１２との係合が解除された後、遊技機枠５のロック操作部２０が遊技盤８のロック挿入孔２２に後側から挿入されて前側に突出する。その状態において、人がロック操作部２０を例えば左方向に９０度回転操作すると、ロック操作部２０がロック挿入孔２２の周りの前面に係合し、遊技盤８が可動枠６の盤収納室７に取り付けられる。遊技盤８が取り付けられた後、前扉９が閉じられる。これによって、パチンコ機が構成される。このパチンコ機は、遊技盤８が遊技機枠５の内部に格納され、遊技盤８の前側が前扉９で覆われ、遊技盤８の遊技領域が遊技機枠５の前側から前扉９の前面パネル２４を通して視認し得る形態である。
【００１１】
遊技機枠５の構造について説明する。遊技機枠５は、固定枠２５の前側に可動枠６を、左側に位置するヒンジ２６を中心として固定枠２５の前側で前側に開かれかつ後側に閉じられるように、片開き可能に備え、可動枠６の前側に前扉９および球皿構造体２７を、左側に位置するヒンジ２８を中心として可動枠６の前側で前側に開かれかつ後側に閉じられるように、個別に片開き可能に備える。固定枠２５は、パチンコ店の図外の遊技機設置構造体に取り付けるための外枠とも呼ばれる。可動枠６は、遊技盤８を取り付ける前枠とも呼ばれ、盤収納室７を内部に備える。盤収納室７の左側部には、枠側取付構造体１が回転可能に設けられる。可動枠６の右縦片部には、施錠装置３１と複数のロック機構３２；３３；３４およびロック解除操作体３５が設けられる。可動枠６は、遊技盤８を装着する前側に開口した盤収納室７の背壁３６に前後方向に貫通する中央開口部３７を備える。背壁３６の右側部には、横長なロック操作部２０を回転可能に備える。
【００１２】
盤収納室７の下縁部は、遊技盤８を搭載する左右方向に平坦な面としての盤棚１９を形成する。盤棚１９から下方に延設された前壁３８の前面には、球発射機構３９、球発射レール４０、戻り球取入口４１、払出球中継樋４２が設けられる。前壁３８の裏面には、機外排出樋４３が設けられる。球発射レール４０は、球皿構造体２７の球供給口４４から供給された１個の球を受け取る。球発射機構３９は、電力の供給と遮断とを交互に受けることによって、球皿構造体２７の球皿部４５から球発射レール４０に供給された球を遊技盤８の遊技領域に向けて１個ずつ発射する。球発射レール４０は、球発射機構３９から発射された球を、遊技盤８における球発射通路の入口に誘導する。払出球中継樋４２は、可動枠６の裏側に設けられた図外の球払出装置から払い出された球を球皿構造体２７の球取入口４６に排出する。機外排出樋４３は、遊技盤８の裏側から排出された球を受け取って遊技機設置構造体における捕球機構に排出する。前扉９は、パネル枠とも呼ばれ、前後方向に貫通する窓４７を囲む額縁形状である。前扉９には、前面パネル２４が、窓４７を裏側から覆うように取り付けられる。前面パネル２４は、ガラスまたは合成樹脂など、光を透過する性質の有る材料からなる板状である。球皿構造体２７の前面には、球皿部４５および球発射操作機構４８が設けられる。球皿部４５は、遊技に使用する球を受ける上方に開口した上方から下方に窪む容器である。球発射操作機構４８は、遊技者が球を発射するために操作するものである。球皿構造体２７の裏面には、球取入口４６および球供給口４４が設けられる。球取入口４６は、払出球中継樋４２から排出された球を球皿部４５に供給する部分である。球供給口４４は、球皿部４５から球発射機構３９に球を供給する部分である。
【００１３】
遊技機枠５では、可動枠６や前扉９および球皿構造体２７が閉じられてロック機構３２；３３；３４で固定枠２５に開閉不能に支持された場合、遊技店の店員が図外のキープレート（鍵）を遊技機枠５の前側から施錠装置３１の鍵穴４９に挿入し、当該キープレートを例えば右側に９０度回転操作すると、固定枠２５と可動枠６とのロック機構３２による支持形態が解除される。この支持形態の解除後に、店員が可動枠６を前側に引くことによって、可動枠６はヒンジ２６を中心として固定枠２５の前側に片開きされる。また、上記施錠装置３１の鍵穴４９に挿入されたキープレートが例えば左側に９０度回転操作されると、可動枠６と前扉９とのロック機構３３による支持形態が解除される。この支持形態の解除後に、店員が前扉９を前側に引くことによって、前扉９はヒンジ２８を中心として可動枠６の前側に片開きされる。このように、前扉９が前側に開かれた状態において、店員が可動枠６の前面に設けられたロック解除操作体３５を操作すると、可動枠６と球皿構造体２７とのロック機構３４による支持形態が解除される。この支持形態の解除後に、店員が球皿構造体２７を前側に引くことによって、球皿構造体２７はヒンジ２８を中心として可動枠６の前側に片開きされる。
【００１４】
遊技盤８の裏側の構造について説明する。遊技盤８の裏面１３には、盤側取付構造体２と盤側配線５１および球案内構造体５２が設けられる。球案内構造体５２は、セット板とも呼ばれ、遊技盤８の前面における図外の内ガイドレールと外ガイドレールとで囲まれた内側の遊技領域から入賞部品やアウト口に取り込まれて遊技盤８の裏側に排出されたパチンコ球と呼ばれる球を、下方に誘導して排出する。遊技盤８の裏側には、遊技盤８の前面に設けられた遊技部品の裏機構が、遊技盤８に形成された図外の逃孔や球案内構造体５２に形成された逃孔５３を経由して遊技盤８の裏側および球案内構造体５２の裏側に突出する。遊技盤８の裏側に突出した裏機構を有する遊技部品は、図柄表示器５４；５５、可動部品５６、図外の入賞部品、図外のサイドランプなどである。図柄表示器５４は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５７を備える。図柄表示器５５は、遊技領域の右側下部に設けられ、複数の図柄の印刷された図柄表示体をステップモータで回転する構造であって、裏機構としてステップモータを備える。
【００１５】
球案内構造体５２の裏面には、盤側配線５１と主制御装置５８および演出制御装置５９が設けられる。盤側配線５１は、遊技盤８に設けられた電気部品と接続された多数本の箔形状の図外の電線が、可撓性を有する合成樹脂基板の表面に付設された構造である。盤側配線５１における電線の表面は、レジスト膜のような電気絶縁材で被覆され、人や球などの接触から保護される。盤側配線５１で接続される遊技盤８に設けられた電気部品としては、図柄表示器５５の駆動源、可動部品５６の駆動源、図柄制御装置５７、主制御装置５８、演出制御装置５９、入賞部品の球検出器、可変入賞部品６０の駆動源および球検出器、図外のサイドランプの表示灯である。遊技盤８の右側部には、ロック挿入孔２２が前後方向への貫通孔として設けられる。
【００１６】
図２を参照し、枠側取付構造体１の構造について説明する。枠側取付構造体１は、縦骨格部６４に、上ヒンジ３、下ヒンジ４、開度保持部１２、上滑走係合部１６、下滑走係合部１７、コネクタ取付部６５、上骨格部６８、下骨格部７２、嵌合確認機構７８を備える。縦骨格部６４は、金属板を直角に折り曲げたことにより、縦長な縦骨格後基盤６６と、縦骨格後基盤６６の左縁部から前側に直角に突出た縦長な縦骨格左基盤６７とを備える。縦骨格部６４の上部には、上骨格部６８が設けられる。上骨格部６８は、縦骨格後基盤６６の上端部から右側に直線的に突出した縦板状の上滑走係合部１６と、上滑走係合部１６の上縁部から前側に直角に折り曲げられた上骨格上基盤６９と、上骨格上基盤６９の前縁部から下側に直角に折り曲げられた上骨格前基盤７０とを備える。上滑走係合部１６と上骨格上基盤６９および上骨格前基盤７０は、上誘導溝７１を下方および右側に開口した形状に構成する。上骨格上基盤６９には、上ヒンジ３が、上骨格部６８から上方に直線的に突出した、ヒンジピンと呼ばれる金属製の丸棒として設けられる。縦骨格部６４の下部には、下骨格部７２が設けられる。下骨格部７２は、縦骨格後基盤６６の下端部から右側に直線的に突出した縦板状の下滑走係合部１７と、下滑走係合部１７の下縁部から前側に直角に折り曲げられた下骨格下基盤７３と、下骨格下基盤７３の前縁部から上側に直角に折り曲げられた下骨格前基盤７４とを備える。下滑走係合部１７と下骨格下基盤７３および下骨格前基盤７４は、下誘導溝７５を上側および右側に開口した形状に構成する。
【００１７】
下骨格部７２には、嵌合確認機構７８が設けられる。嵌合確認機構７８は、図１の可動枠６に遊技盤８を取り付ける場合に枠側電気接続構造体１０の電気接続端子と盤側電気接続構造体１８の電気接続端子とが正常に接続されたことを音で人に知らせる機構である。図２に戻り、嵌合確認機構７８は、レバー軸７９、確認レバー８０、ばね８１を備える。レバー軸７９は、金属製の丸棒であって、下滑走係合部１７に固定され、下滑走係合部１７の裏面から裏側に直線的に突出する。確認レバー８０は、金属板からなり、レバー軸７９に下滑走係合部１７の裏面と平行するように上下方向に回転可能に取り付けられる。ばね８１は、金属からなるコイルばねにより構成される。ばね８１の一端部が下滑走係合部１７に固定され、ばね８１の他端部が確認レバー８０に固定されることによって、ばね８１が確認レバー８０のレバー軸７９よりも上方に突出した先端部を矢印Ｗ３で示す下側から上側の方向に付勢する。確認レバー８０がばね８１で付勢されることによって、確認レバー８０の先端部が下滑走係合部１７に設けられたストッパー８２に衝突してそれ以上前側に行かないように停止する。嵌合確認機構７８の作用は、図１１により後述する。開度保持部１２は、前側に回転した上ヒンジ３を中心とする１つの円周上に位置し、上骨格上基盤６９に上下方向への貫通孔として設けられる。コネクタ取付部６５は、縦骨格後基盤６６の右端部から後側に直角に折り曲げられた縦板状である。
【００１８】
図３を参照し、枠側電気接続構造体１０のコネクタ取付部６５への取付構造について説明する。枠側電気接続構造体１０は、枠側コネクタ基板９１が枠側コネクタ容器９２の前面に固定され、枠側コネクタ容器９２がコネクタ取付部６５の前面に対し矢印Ｘ１；Ｙ１で示す左右上下方向に移動可能に取り付けられた、構造である。枠側コネクタ基板９１は、プリント配線板からなる回路基板に、枠側内部コネクタ９３および枠側外部コネクタ９４を実装した、構造である。枠側内部コネクタ９３の合成樹脂からなるコネクタボディおよび枠側外部コネクタ９４の合成樹脂からなるコネクタボディが回路基板に固定され、枠側内部コネクタ９３のコネクタピンと呼ばれる電気接続端子および枠側外部コネクタ９４のコネクタピンと呼ばれる電気接続端子が、互いに、電気を伝達するように、回路基板に設けられた箔状の電線で接続される。枠側コネクタ基板９１の上部および下部には、位置決め孔９５およびねじ挿入孔９６が、前後方向への貫通孔として、個別に設けられる。枠側内部コネクタ９３には、可動枠６の裏面に取り付けられた電気部品が枠側配線で接続される。可動枠６の裏面に取り付けられた電気部としては、電源装置、発射払出制御装置、球発射機構３９（図１参照）、表示灯、スピーカなどである。枠側外部コネクタ９４は、図１０の盤側外部コネクタ１５９と接続される。
【００１９】
枠側コネクタ容器９２は、合成樹脂からなり、板状の枠側基板固定部９８および枠側位置決め部９９を備える。枠側基板固定部９８の上部および下部には、枠側取付台１００が枠側基板固定部９８の前面から前側に突出する。枠側取付台１００には、位置決め突起１０１およびねじ取付孔１０２が、個別に設けられる。位置決め突起１０１は、位置決め孔９５をがたつくことがないように嵌め込むものであって、枠側取付台１００の前面から前側に突出する。ねじ取付孔１０２は、枠側取付台１００の前面と枠側基板固定部９８の裏面とに貫通する。そして、枠側内部コネクタ９３および枠側外部コネクタ９４が前側に向けられ、位置決め孔９５が枠側コネクタ容器９２の前側から位置決め突起１０１に嵌め込まれると、ねじ挿入孔９６とねじ取付孔１０２とが互いに前後方向で対向する。その後、タッピングスクリューのような止ねじ１０３が枠側コネクタ基板９１の前側からねじ挿入孔９６を経由してねじ取付孔１０２に締結されることによって、枠側コネクタ基板９１が枠側基板固定部９８に固定される（図４参照）。
【００２０】
枠側位置決め部９９は、枠側基板固定部９８の上部から上方に突出するとともに枠側基板固定部９８の下部から下方に突出するように、枠側基板固定部９８の上部および下部に個別に連接され、前面から内部に窪む形状である。枠側位置決め部９９を囲む周壁１０４は、枠側基板固定部９８の左側部および前側に開口し、枠側基板固定部９８の右側部を囲む形状である。周壁１０４の内側に位置する前縁部は、後側から前側に行くにしたがって外側に傾斜する案内面１０５を形成する。枠側位置決め部９９の後壁には、支柱１０７およびねじ取付孔１０８が個別に設けられる。支柱１０７が枠側位置決め部９９の後壁から後側に突出する。ねじ取付孔１０８は、枠側位置決め部９９における後壁の前面および支柱１０７の後面にわたり前後方向への貫通孔として設けられる。枠側位置決め部９９における後壁の裏面は、可動用孔１１０の口径よりも大きな外径を有する平坦面を形成する。
【００２１】
コネクタ取付部６５には、容器逃部１０９および可動用孔１１０が設けられる。容器逃部１０９は、コネクタ取付部６５の右側と前後方向とに開口する。可動用孔１１０は、容器逃部１０９よりも上部および下部に位置し、支柱１０７の外径よりも大きな口径を有し、前後方向への方形な貫通孔として形成される。抜止体１１２は、可動用孔１１０の口径よりも大きな外径を有する。抜止体１１２には、支柱１０７を嵌め込むための支柱受部１１３が、抜止体１１２の中心に位置し、抜止体１１２の前面から内部への窪みとして設けられる。抜止体１１２の前面は、平坦面を形成する。支柱受部１１３の後壁には、ねじ挿入孔１１４が、前後方向への貫通孔として設けられる。
【００２２】
図４を参照し、枠側電気接続構造体１０が縦骨格部６４に設けられたコネクタ取付部６５に取り付けられた構造について説明する。枠側コネクタ容器９２の支柱１０７が、コネクタ取付部６５の前側から可動用孔１１０に個別に挿入され、コネクタ取付部６５から後側に突出した支柱１０７の後端部には、抜止体１１２の支柱受部１１３が、コネクタ取付部６５の後側から嵌め込まれ、タッピングスクリューのような止ねじ１１５が、抜止体１１２の後側からねじ挿入孔１１４を経由して枠側位置決め部９９のねじ取付孔１０８に締結され、抜止体１１２の前面と枠側位置決め部９９における後壁の裏面との間の寸法Ｔ１が、コネクタ取付部６５における前後方向の寸法Ｔ２よりも大きい寸法となり（Ｔ１＞Ｔ２）、コネクタ取付部６５が枠側コネクタ容器９２における枠側位置決め部９９の後壁と抜止体１１２との間に存在する。これによって、枠側電気接続構造体１０がコネクタ取付部６５の前面と平行な縦横方向に移動可能に取り付けられる。つまり、縦骨格部６４が図１の可動枠６に縦方向に取り付けられた場合、支柱１０７が枠側電気接続構造体１０の自重で可動用孔１１０の下縁部に接触して搭載されているが、支柱１０７の外径が可動用孔１１０の口径よりも細いので、枠側電気接続構造体１０は支柱１０７の外径と可動用孔１１０の口径との差の範囲でコネクタ取付部６５の前面と平行な方向に自由に移動することができる。１１６は、枠側外部コネクタ９４をコネクタ基板９１に取り付けた止ねじである。
【００２３】
図５を参照し、枠側取付構造体１の上部が可動枠６に回転可能に取り付けられる構造について説明する。図５のａ図において、可動枠６の盤収納室７における左側部の上部には、上軸受部１１８と上取付部１１９が設けられる。上軸受部１１８は、上ヒンジ３を可動枠６の前側から収納し得る窪みであって、可動枠６の前面および盤収納室７に開口する。上取付部１１９は、上軸受部１１８の周囲に位置し、可動枠６の前面から前側に突出する。上取付部１１９には、ねじ取付孔１２２が、上取付部１１９の前面から内部への窪みとして設けられる。上ヒンジ支持体１２３は、上前面板１２４および上軸抜止部１２５を備える。上軸抜止部１２５は、上前面板１２４の裏面から後側に突出する。上前面板１２４には、ねじ挿入孔１２６および上嵌合部１２７が設けられる。ねじ挿入孔１２６は、上軸抜止部１２５の周囲に位置し、前後方向への貫通孔である。上嵌合部１２７は、上取付部１１９を前側から収納し得る窪みであって、ねじ挿入孔１２６を中心とし、上前面板１２４の裏面から内部に窪む。
【００２４】
そして、枠側取付構造体１の上ヒンジ３が可動枠６の前側から上軸受部１１８に挿入され、上骨格部６８が可動枠６から下方に離れて盤収納室７に配置される。その後、上軸抜止部１２５が可動枠６の前側から上軸受部１１８に挿入され、上嵌合部１２７が上取付部１１９に前側から嵌め込まれ、タッピングスクリューのような止ねじ１２８が上ヒンジ支持体１２３の前側からねじ挿入孔１２６を経由して可動枠６のねじ取付孔１２２に締結される。これによって、図５のｂ図に示すように、上ヒンジ支持体１２３が可動枠６に取り付けられ、上軸抜止部１２５が上軸受部１１８の前部を塞ぎ、上ヒンジ３が上ヒンジ支持体１２３で上軸受部１１８に回転可能に取り付けられる。
【００２５】
図６を参照し、枠側取付構造体１の下部が可動枠６に回転可能に取り付けられる構造について説明する。図６のａ図において、可動枠６の盤収納室７における左側部の下部には、下後軸受部１３０および下取付部１３１が設けられる。下後軸受部１３０は、下ヒンジ４の後半部を前側から収納し得る窪みであって、可動枠６の前面から内部に半円弧状に窪む。下取付部１３１は、下後軸受部１３０の周囲に位置し、可動枠６の前面から前側に突出する。下取付部１３１には、ねじ取付孔１３３が、下取付部１３１の前面から内部への窪みとして設けられる。下ヒンジ支持体１３４には、下前軸受部１３５とねじ挿入孔１３６および下嵌合部１３７が設けられる。下前軸受部１３５は、下ヒンジ４の前部を前側から収納し得る窪みであって、下ヒンジ支持体１３４の裏面から前側である内部に半円弧状に窪む。ねじ挿入孔１３６は、下前軸受部１３５の周囲に位置し、前後方向への貫通孔である。下嵌合部１３７は、下取付部１３１を前側から収納し得る窪みであって、ねじ挿入孔１３６を中心とし、下ヒンジ支持体１３４の裏面から前側である内部へ窪む。
【００２６】
そして、枠側取付構造体１の下ヒンジ４が可動枠６の前側から下後軸受部１３０に接触され、枠側取付構造体１の下骨格部７２が可動枠６から上方に離れて盤収納室７に配置される。その後、下ヒンジ支持体１３４の下前軸受部１３５が可動枠６の前側から下ヒンジ４に嵌め込まれ、下ヒンジ支持体１３４の下嵌合部１３７が下取付部１３１に前側から嵌め込まれ、タッピングスクリューのような止ねじ１３８が下ヒンジ支持体１３４の前側からねじ挿入孔１３６を経由してねじ取付孔１３３に締結される。これによって、図６のｂ図に示すように、下ヒンジ４が下後軸受部１３０と下前軸受部１３５とで前後から挟まれ、下ヒンジ支持体１３４が可動枠６に取り付けられ、下ヒンジ４が下ヒンジ支持体１３４で下後軸受部１３０に回転可能に取り付けられる。図４乃至図６で述べたように枠側取付構造体１が可動枠６に取り付けられることによって、枠側取付構造体１は、図１に示すように、上ヒンジ３および下ヒンジ４を中心として可動枠６から前側に横方向に開けられるとともに、可動枠６の前側から後側に横方向に閉じられるようになっている。
【００２７】
図７のａ図を参照し、開度保持部１１と開度保持部１２と開度規制部１２０との関係について説明する。開度保持部１１は、板ばね８３と突起８４とを備える。板ばね８３は、盤収納室７における背壁３６の前面に前側から固定的に取り付けられる。突起８４は、板ばね８３における背壁３６の前面から前側に突出した前端部から下側に突出するように、板ばね８３の前端部に設けられる。開度規制部１２０は、可動枠６の背壁３６から前側に突出するように背壁３６に設けられた突起である。
【００２８】
図７のｂ図を参照し、枠側取付構造体１が上ヒンジ３および下ヒンジ４を中心として可動枠６から矢印Ｗ１で示す前側に横方向に開放された場合と、枠側取付構造体１が上ヒンジ３および下ヒンジ４を中心として可動枠６の前側から矢印Ｗ２で示す後側に横方向に閉じられた場合とにおける、可動枠６と枠側取付構造体１との関係について説明する。枠側取付構造体１が、人によって、仮想線で示す位置から矢印Ｗ１で示す前側に横方向に開放されて実線で示す位置に到達すると、可動枠６の開度保持部１１と枠側取付構造体１の開度保持部１２とが互いに係合し、枠側取付構造体１が、それ以上、矢印Ｗ１で示す前側に回転しないように停止する。このように開度保持部１１と開度保持部１２とが互いに係合した場合、枠側取付構造体１の縦骨格後基盤６６が開度規制部１２０に接触するかまたは接触する程度に近づく。そして、枠側取付構造体１に前側に回転するような外力が加わった場合、縦骨格後基盤６６が開度規制部１２０に衝突し、上記開度保持部１１と開度保持部１２との係合が保たれ、枠側取付構造体１がそれ以上前側に回転しない。これによって、枠側取付構造体１の上骨格部６８の前端部および下骨格部７２の前端部は、可動枠６の盤収納室７および盤棚１９よりも前側に突出する。
【００２９】
次に、枠側取付構造体１が実線で示すように開度保持部１１と開度保持部１２とが互いに係合した状態において、枠側取付構造体１が人または図１の盤側取付構造体２によって開度保持部１１における板ばね８３のばね力に抗して矢印Ｗ２で示す後側に回転されると、板ばね８３が上側に撓み、突起８４が開度保持部１２の周囲における上骨格部６８で持ち上げられて開度保持部１２から解除され、枠側取付構造体１が、実線で示す位置から矢印Ｗ２で示す後側に押されて横方向に閉じられて仮想線で示す位置に到達する。仮想線で示す位置の枠側取付構造体１と実線で示す位置の枠側取付構造体１とからなる枠側取付構造体１の最大開き角度θ１は、例えば、４５度になっている。仮想線で示す位置の前扉９における可動枠６の一点鎖線Ｌ１で示す前面に対する前側への最大開き角度θ２は、例えば、１２０度になっている。よって、枠側取付構造体１の最大開き角度θ１は、前扉９の最大開き角度θ２よりも小さい角度である（θ１＜θ２）。
【００３０】
図８を参照し、盤側取付構造体２の構造について説明する。盤側取付構造体２は、縦骨格部１３９に、上骨格部１４０、下骨格部１４２、上滑走係合部１４、下滑走係合部１５、コネクタ取付部１４３、嵌合確認機構１８０を備える。縦骨格部１３９は、金属板を直角に折り曲げたことにより、縦長な縦骨格後基盤１４４と、縦骨格後基盤１４４の左縁部から前側に直角に突出た縦長な縦骨格左基盤１４５とを備える。縦骨格部１３９の上部には、上骨格部１４０が設けられる。上骨格部１４０は、縦骨格後基盤１４４の上端部から右側に直線的に突出した縦板状の上骨格後基盤１４６と、上骨格後基盤１４６の前縁部から前側に直角に折り曲げられた上骨格上基盤１４７と、上骨格後基盤１４６の下縁部から後側に離れた後に上側に折り曲げられた上滑走係合部１４とを備える。上滑走係合部１４と上骨格後基盤１４６との間には、上誘導溝１４８が、上側と左側および右側に開口した形状に構成される。上誘導溝１４８は、図１の上滑走係合部１６を移動可能に取り込む溝である。縦骨格部１３９の下部には、下骨格部１４２が設けられる。下骨格部１４２は、縦骨格後基盤１４４の下端部から右側に直線的に突出した縦板状の下骨格後基盤１４９と、下骨格後基盤１４９の下縁部から前側に直角に折り曲げられた下骨格下基盤１５０と、下骨格後基盤１４９の上縁部から後側に離れた後に下側に折り曲げられた下滑走係合部１５とを備える。下滑走係合部１５と下骨格後基盤１４９との間には、下誘導溝１５１が、下側と左側および右側に開口した形状に構成される。下誘導溝１５１は、図１の下滑走係合部１７を移動可能に取り込む溝である。コネクタ取付部１４３は、上下方向の下半部に位置し、縦骨格後基盤１４４と平行となるように、縦骨格後基盤１４４の右縁部から右側に直線的に突出した縦板状である。コネクタ取付部１４３と縦骨格後基盤１４４と上骨格後基盤１４６および下骨格後基盤１４９には、木ねじのような止ねじ１５２を挿入するためのねじ挿入孔１５３が設けられる。
【００３１】
縦骨格部１３９には嵌合確認機構１８０が設けられる。嵌合確認機構１８０は、図１の可動枠６に遊技盤８を取り付ける場合に枠側電気接続構造体１０の電気接続端子と盤側電気接続構造体１８の電気接続端子とが正常に接続されたことを音で人に知らせる機構である。図８に戻り、嵌合確認機構１８０は、レバー軸１８１、確認レバー１８２、ばね１８３を備える。レバー軸１８１は、金属製の丸棒であって、縦骨格後基盤１４４に固定され、縦骨格後基盤１４４の裏面から裏側に直線的に突出する。確認レバー１８２は、金属板からなり、レバー軸１８１に縦骨格後基盤１４４の裏面と平行するように上下方向に回転可能に取り付けられる。ばね１８３は、金属からなるコイルばねにより構成される。ばね１８３の一端部が縦骨格後基盤１４４に固定され、ばね１８３の他端部が確認レバー１８２に固定されることによって、ばね１８３が確認レバー１８２のレバー軸１８１よりも下方に突出した先端部を矢印Ｗ４で示す上側から下側の方向に付勢する。確認レバー１８２がばね１８３で付勢されることによって、確認レバー１８２の先端部が縦骨格後基盤１４４に設けられたストッパー１８４に衝突してそれ以上左側に行かないように停止する。嵌合確認機構１８０の作用は、図１１により後述する。
【００３２】
図９を参照し、盤側取付構造体２が遊技盤８に取り付けられた構造について説明する。コネクタ取付部１４３と縦骨格後基盤１４４と上骨格後基盤１４６および下骨格後基盤１４９が遊技盤８の裏面１３に裏側から接触され、上骨格上基盤１４７が遊技盤８の上端面に接触され、下骨格下基盤１５０が遊技盤８の下端面に接触され、縦骨格左基盤１４５が遊技盤８の左端面に接触される。その状態において、止ねじ１５２が盤側取付構造体２の裏側から図８のねじ挿入孔１５３を経由して遊技盤８に締結される。これによって、盤側取付構造体２が遊技盤８の左側部に固定的に取り付けられ、盤側電気接続構造体１８が遊技盤８の裏面１３から後側に突出する。このように盤側取付構造体２を備えた遊技盤８が枠側取付構造体１に取り付けられる場合、盤側取付構造体２が枠側取付構造体１に嵌め込まれるのに伴い、嵌合確認機構７８と嵌合確認機構１８０とが互いに衝突して動き、枠側電気接続構造体１０の電気接続端子と盤側電気接続構造体１８の電気接続端子とが正常に接続されたことを音で人に知らせる。この嵌合確認機構７８と嵌合確認機構１８０との作用は、図１１で後述する。
【００３３】
図１０を参照し、盤側電気接続構造体１８の盤側取付構造体２への構造について説明する。盤側電気接続構造体１８は、盤側コネクタ基板１５６が盤側コネクタ容器１５７の前面に固定され、盤側コネクタ容器１５７が盤側取付構造体２のコネクタ取付部１４３の裏面に固定的に取り付けられた、構造である。盤側コネクタ基板１５６は、プリント配線板からなる回路基板に、盤側内部コネクタ１５８および盤側外部コネクタ１５９を実装した、構造である。盤側内部コネクタ１５８の合成樹脂からなるコネクタボディおよび盤側外部コネクタ１５９の合成樹脂からなるコネクタボディが回路基板に固定され、盤側内部コネクタ１５８のコネクタピンと呼ばれる電気接続端子および盤側外部コネクタ１５９のコネクタピンと呼ばれる電気接続端子が、互いに、電気を伝達するように、回路基板に設けられた箔状の電線で接続される。盤側コネクタ基板１５６の上部および下部には、位置決め孔１６０およびねじ挿入孔１６１が、前後方向への貫通孔として、個別に設けられる。盤側内部コネクタ１５８には、図１の盤側配線５１が接続される。これによって、盤側内部コネクタ１５８には、遊技盤８に取り付けられた電気部品が接続される。盤側外部コネクタ１５９には、図２の枠側外部コネクタ９４が接続される。
【００３４】
盤側コネクタ容器１５７は、合成樹脂からなり、板状の盤側基板固定部１６２と盤側位置決め部１６３および取付足１６４を備える。盤側基板固定部１６２の上部および下部には、盤側取付台１６５が盤側基板固定部１６２の裏面から後側に突出する。盤側取付台１６５には、位置決め突起１６６およびねじ取付孔１６７が、個別に設けられる。位置決め突起１６６は、位置決め孔１６０をがたつくことがないように嵌め込むものであって、盤側取付台１６５の裏面から後側に突出する。ねじ取付孔１６７は、盤側取付台１６５の裏面と盤側基板固定部１６２の前面とに貫通する。そして、盤側内部コネクタ１５８および盤側外部コネクタ１５９が後側に向けられ、位置決め孔１６０が盤側コネクタ容器１５７の後側から位置決め突起１６６に嵌め込まれると、ねじ挿入孔１６１とねじ取付孔１６７とが互いに前後方向で対向する。その後、止ねじ１６８が盤側コネクタ基板１５６の後側からねじ挿入孔１６１を経由してねじ取付孔１６７に締結されることによって、盤側コネクタ基板１５６が盤側コネクタ容器１５７に固定される。
【００３５】
盤側位置決め部１６３は盤側基板固定部１６２の上部から上方および後側に突出するとともに盤側基板固定部１６２の下部から下方および後側に突出するように、盤側基板固定部１６２の上部および下部に個別に連接される。取付足１６４は、盤側基板固定部１６２の上部から後方に突出するとともに盤側基板固定部１６２の下部から後方に突出するように、盤側基板固定部１６２の上部および下部に個別に連接される。タッピングスクリューのような止ねじ１６９が、取付足１６４の裏側から取付足１６４を貫通してコネクタ取付部１４３に締結されることによって、盤側コネクタ容器１５７が盤側取付構造体２に固定される。
【００３６】
図１１を参照し、嵌合確認機構７８と嵌合確認機構１８０との作用について説明する。図１１のａ図に示すように、盤側取付構造体２が枠側取付構造体１に矢印Ｘ２で示す方向に嵌め込まれるのに伴い、ストッパー１８４で受け止められている確認レバー１８２の先端部が確認レバー８０の先端部に衝突し、確認レバー８０が確認レバー１８２で押されてばね８１のばね力に抗しレバー軸７９を中心として矢印Ｗ５で示す方向に回転して確認レバー１８２を逃げる。この矢印Ｗ５で示す方向への回転によって、確認レバー８０は、実線で示す状態から仮想線で示す状態となり、確認レバー１８２の先端部が確認レバー８０の先端部を矢印Ｘ２で示す方向に通過する。このように、確認レバー８０；１８２が動く過程において、枠側電気接続構造体１０の電気接続端子と盤側電気接続構造体１８の電気接続端子とが互いに正常に接続される。そして、確認レバー１８２の先端部が確認レバー８０の先端部を矢印Ｘ２で示す方向に通過するのに伴い、確認レバー８０がばね８１のばね力によってレバー軸７９を中心として矢印Ｗ６で示す方向に回転しストッパー８２に衝突して金属音を発生する。この金属音が発生することによって、嵌合確認機構７８および嵌合確認機構１８０が、枠側電気接続構造体１０の電気接続端子と盤側電気接続構造体１８の電気接続端子とが正常に接続されたことを、音で、人に知らせることができる。
【００３７】
図１１のｂ図に示すように、盤側取付構造体２が枠側取付構造体１に矢印Ｘ３で示す方向に引き抜かれるのに伴い、ストッパー８２で受け止められている確認レバー８０の先端部が確認レバー１８２の先端部に衝突し、確認レバー１８２が確認レバー８０で押されてばね１８３のばね力に抗しレバー軸１８１を中心として矢印Ｗ７で示す方向に回転して確認レバー８０を逃げる。この矢印Ｗ７で示す方向に回転によって、確認レバー８０は、実線で示す状態から仮想線で示す状態となり、確認レバー１８２の先端部が確認レバー８０の先端部を矢印Ｘ３で示す方向に通過する。このように、確認レバー８０；１８２が動く過程において、枠側電気接続構造体１０の電気接続端子と盤側電気接続構造体１８の電気接続端子との接続が解除される。そして、確認レバー１８２の先端部が確認レバー８０の先端部を矢印Ｘ３で示す方向に通過するのに伴い、確認レバー１８２がばね１８３のばね力によってレバー軸１８１を中心として矢印Ｗ８で示す方向に回転してストッパー１８４に受け止められる。
【００３８】
最良の形態によれば、図１において、枠側取付構造体１が可動枠６の左側部に回転可能に取り付けられ、盤側取付構造体２が遊技盤８の左側部に固定的に設けられており、枠側取付構造体１が可動枠６の盤収納室７の内部からの可動枠６の前側に横方向に回転された状態において、遊技盤８を取り付ける場合、盤側取付構造体２の下骨格部１４２（図８参照）が枠側取付構造体１の下誘導溝７５（図２参照）に嵌め込まれ、盤側取付構造体２の上骨格部１４０（図８参照）が枠側取付構造体１の上誘導溝７１（図２参照）に嵌め込まれた後、遊技盤８の左側部が枠側取付構造体１の縦骨格部６４（図２参照）の方向に押し込まれることによって、上滑走係合部１６が上誘導溝１４８（図８参照）に取り込まれ、上滑走係合部１４と上滑走係合部１６とが互いに嵌まり合って滑走し、下滑走係合部１７が下誘導溝１５１（図８参照）に取り込まれ、下滑走係合部１５と下滑走係合部１７とが互いに嵌まり合って滑走し、枠側電気接続構造体１０と盤側電気接続構造体１８とが互いに接続されるので、電気部品の搭載された遊技盤８を電気部品の搭載された可動枠６に取り付けることによって、遊技盤８の電気部品と可動枠６の電気部品との相互接続が行える。
【００３９】
図２に示すように、枠側内部コネクタ９３には図１の可動枠６に搭載された電気部品が接続され、枠側外部コネクタ９４には図１０の盤側外部コネクタ１５９が接続されるというように、枠側電気接続構造体１０が役割分担した枠側内部コネクタ９３および枠側外部コネクタ９４を備えているので、可動枠６の電気部品と枠側電気接続構造体１０との配線が整頓できるという利点がある。また、図１０に示すように、盤側内部コネクタ１５８には図１の遊技盤８に搭載された電気部品が接続され、盤側外部コネクタ１５９には図２の枠側外部コネクタ９４が接続されるというように、盤側電気接続構造体１８が役割分担した盤側内部コネクタ１５８および盤側外部コネクタ１５９を備えているので、遊技盤８の電気部品と盤側電気接続構造体１８との配線が整頓できるという利点がある。
【００４０】
図３および図１０において、枠側電気接続構造体１０が枠側取付構造体１のコネクタ取付部６５の前面と平行な縦横方向に移動可能に取り付けられ、枠側電気接続構造体１０が枠側位置決め部９９を備え、盤側取付構造体２に設けられた盤側電気接続構造体１８が盤側位置決め部１６３を備えている。このため、盤側位置決め部１６３と枠側位置決め部９９とが個別に嵌め込まれることによって、枠側電気接続構造体１０と盤側電気接続構造体１８との位置が整合し、枠側電気接続構造体１０の電気接続端子と盤側電気接続構造体１８の電気接続端子とが適切に接続されるという利点がある。枠側位置決め部９９が周壁１０４に案内面１０５を備えているので、盤側位置決め部１６３が案内面１０５で誘導されながら枠側位置決め部９９に好適に嵌め込まれるという利点がある。
【００４１】
図３および図１０において、支柱１０７が枠側電気接続構造体１０の自重で可動用孔１１０の下縁部に接触して搭載されているので、盤側位置決め部１６３と枠側位置決め部９９とが互いに嵌め込まれる場合、盤側位置決め部１６３が枠側位置決め部９９に挿入されるのに伴い、枠側位置決め部９９が盤側位置決め部１６３で上方に持ち上げられるように、枠側位置決め部９９のコネクタ取付部６５への取付位置と盤側位置決め部１６３のコネクタ取付部１４３への取付位置とが設定されていれば、枠側電気接続構造体１０は支柱１０７の外径と可動用孔１１０の口径との差の範囲でコネクタ取付部６５の前面と平行な方向に自由に移動することができる。
【００４２】
図１２に示すように、可動枠６に搭載された電気部品の枠側配線１７１に結線されたコネクタ１７２が、可動枠６の裏側から盤収納室７に設けられた配線孔１７３を経由して枠側内部コネクタ９３に嵌め込まれる。このコネクタ１７２と枠側内部コネクタ９３との接続は、遊技盤８が可動枠６の盤収納室７に取り付けられたり盤収納室７から取り外されたりされる場合、枠側取付構造体１の図１に示す上ヒンジ３および下ヒンジ４を中心とする回転に伴い、枠側配線１７１が配線孔１７３を前後に移動すれば、上記コネクタ１７２と枠側内部コネクタ９３との接続は外しても外さなくてもよい。枠側配線１７１は、盤側配線５１と同じように可撓性配線で構成されてもよい。１７４は遊技盤８に設けられた外ガイドレール、１７５は遊技盤８に設けられた内ガイドレール、１７６は遊技盤８に設けられた球発射通路、１７７は遊技盤８に設けられた遊技領域である。
【産業上の利用可能性】
【００４３】
盤側電気接続構造体１８は、コネクタ取付部１４３に、コネクタ取付部１４３の裏面と平行な縦横方向に移動可能に取り付けてもよい。この場合、枠側電気接続構造体１０は、コネクタ取付部６５に固定しても最良の形態のように縦横方向に移動可能に設けてもよい。枠側取付構造体１の最大開き角度θ１は、４５度に限定されるものではなく、図７のｂ図に示すように、枠側取付構造体１が上ヒンジ３および下ヒンジ４を中心として前側に回転した場合、枠側取付構造体１が前側に開かれた前扉９と衝突しないで、遊技盤８を可動枠６の前側から取り付けたり取り外したりする操作が可能な範囲であればよい。その範囲は、例えば、４０度から８０度の範囲であろう。図３において、支柱１０７をコネクタ取付部６５に設け、可動用孔１１０を枠側コネクタ容器９２に設けて、支柱１０７の外径と可動用孔１１０の口径との差の範囲によって、枠側電気接続構造体１０をコネクタ取付部６５の前面と平行な方向に自由に移動してもよい。図１０において、盤側電気接続構造体１８をコネクタ取付部１４３から後側に直角に折り曲げた縦壁１７０に当該縦壁１７０における壁面と平行な縦横方向に移動可能に取り付けてもよい。縦壁１７０における壁面は、コネクタ取付部１４３の裏面と直角になる面である。この場合、縦壁１７０が図１０に示すコネクタ取付部１４３に代る部分となるように図１０に示す形態より縦長に形成し、図３の支柱１０７を縦壁１７０または盤側コネクタ容器１５７の一方に設け、図３の可動用孔１１０を縦壁１７０または盤側コネクタ容器１５７の他方に設ければよい。
【図面の簡単な説明】
【００４４】
【図１】遊技機枠と遊技盤とを示す分解斜視図（最良の形態）。
【図２】枠側取付構造体を示し、ａ図は前側からの斜視図、ｂ図は裏側からの斜視図（最良の形態）。
【図３】枠側電気接続構造体の取付構造を示す斜視図（最良の形態）。
【図４】枠側電気接続構造体の組立構造を示す縦断面図（最良の形態）。
【図５】上ヒンジの取付構造を示し、ａ図は分解斜視図、ｂ図は組立斜視図（最良の形態）。
【図６】下ヒンジの取付構造を示し、ａ図は分解斜視図、ｂ図は組立斜視図（最良の形態）。
【図７】ａ図は枠側構造躯体の上部が可動枠の前側に開放された構造の前側からの斜視図、ｂ図はａ図のＢ−Ｂ線断面図（最良の形態）。
【図８】盤側取付構造体を示し、ａ図は前側からの斜視図、ｂ図は裏側からの斜視図（最良の形態）。
【図９】盤側取付構造体を備えた遊技盤の裏側からの斜視図（最良の形態）。
【図１０】盤側電気接続構造体の取付構造を裏側から示す斜視図（最良の形態）。
【図１１】嵌合確認機構の作用を示す模式図（最良の形態）。
【図１２】遊技盤を盤収納室に取り付け扉を閉じた平面的な断面図（最良の形態）。
【符号の説明】
【００４５】
１    枠側取付構造体
２    盤側取付構造体
３    上ヒンジ
４    下ヒンジ
５    遊技機枠
６    可動枠
７    盤収納室
８    遊技盤
１０  枠側電気接続構造体
１１  開度保持部
１２  開度保持部
１４  上滑走係合部
１５  下滑走係合部
１６  上滑走係合部
１７  下滑走係合部
１８  盤側電気接続構造体
【図１】
2006247230.tif 000003
【図２】
2006247230.tif 000004
【図３】
2006247230.tif 000005
【図４】
2006247230.tif 000006
【図５】
2006247230.tif 000007
【図６】
2006247230.tif 000008
【図７】
2006247230.tif 000009
【図８】
2006247230.tif 000010
【図９】
2006247230.tif 000011
【図１０】
2006247230.tif 000012
【図１１】
2006247230.tif 000013
【図１２】
2006247230.tif 000014